(57)【要約】【課題】文字板とケース前面に段差がある場合にも文字板の組付けを容易とすることができるメータ装置を提供すること。【解決手段】文字板１２と、凹部１０ａ、載置部３１および係合爪３４が形成されたケース１０と、載置部３１に形成された２個の位置決めピン３１ａ，３１ｂとを備え、載置部３１は、文字板１２が載置されたときスライド移動が可能に形成されており、係合爪３４は、文字板１２のスライド移動によって指針用穴１２ｂの内周に係合する位置に設けられており、２個の組付け穴の一方１２ｄは、係合爪３４と指針用穴１２ｂの内周の係合後に位置決めピン３１ｂの挿入が可能な位置に設けられている。【選択図】図１
2006292648.tif 000002
【特許請求の範囲】
【請求項１】
表示意匠が施されると共に、中心に指針用穴が形成されかつ外周のほぼ対向する位置に２個の組付け穴が形成された文字板と、
前面に前記文字板を収容する凹部が形成され、該凹部を形成する内壁に前記文字板を載置する載置部が形成され、前記凹部の中心付近に前記指針用穴の内周に係合して固定する係合爪が形成されたケースと、
前記載置部に形成され、各々が前記文字板の前記２個の組付け穴に挿入される２個の位置決めピンとを備え、
前記載置部は、前記文字板が載置されたときスライド移動が可能に形成されており、
前記係合爪は、前記文字板のスライド移動によって前記指針用穴の内周に係合する位置に設けられており、
前記２個の組付け穴の一方は、前記係合爪と前記指針用穴の内周の係合後に前記位置決めピンの挿入が可能な位置に設けられている
ことを特徴とするメータ装置。
【請求項２】
請求項１記載のメータ装置において、
前記載置部は、前記文字板の内周と前記係合爪の係合前に前記文字板の外周の一部が前記内壁に接する位置になるように前記文字板を載置したとき、前記係合爪の先端と、前記文字板の前記指針用穴の縁との間に所定の隙を持つような寸法関係に設定されている
ことを特徴とするメータ装置。
【発明の詳細な説明】
【技術分野】
【０００１】
本発明は、メータ装置に関し、特に、メータ装置における文字板の組付け構造の改善に関する。
【背景技術】
【０００２】
メータ装置において、別部品なしで文字板をケースに固定する方法としては、たとえば非特許文献１に開示されている。この固定方法は、図９に示すように、文字板４１を光拡散板４２に合わせて、文字板４１側の文字板組付切り欠き部４１ａをケース４３側の文字板組付軸４３ａに合わせ、文字板組付軸４３ａ中心に矢印方向にスライドさせ、ケース４３下部の文字板固定ボス４３ｂに文字板４１下部の文字板固定穴４１ｂを組み付けし、固定する。同時に、文字板４１中心にある指針用の穴４１ｃを、光拡散板４２中心部の文字板嵌合部４２ａにスライドさせて固定する。
【非特許文献１】発明協会技報  公技番号２００４−５００６１０  名称「文字板組付構造」  発行日２００４−０２−０５
【０００３】
また、他の固定方法として図１０に示すような固定方法がある。図１０において、メータ装置は、係合爪５２ａと、係合爪５２ａを介してほぼ対向する位置に形成された２個の位置決めピン５２ｂ，５２ｃとを有するケース５２と、ケース５２に組み付けられる文字板５１とを備えている。文字板５１は、表示意匠が施されると共に、中心に指針用穴５１ａが形成されかつ外周上のほぼ対向する位置に２個の組付け穴５１ｂ，５１ｃが形成されている。文字板５１は、指針用穴５１ａの内周がケース５２の係合爪５２ａに係合されると共に、２個の組付け穴５１ｂ，５１ｃが、それぞれケースの２個の位置決めピン５２ｂ，５２ｃに挿入されることにより、別部品なしでケース５２に組み付け、固定される。
【０００４】
この固定方法は、文字板形状とケース形状が、最終的に組付けに必要な形状通りになっていれば、図１０（Ｃ）に示すように、組付け途中で文字板５１を多少たわませる過程が生じても、図１０（Ａ）に示すＡ部分（手で文字板５１を持つ部分）が、文字板５１とケース５２の前面がほぼ同じ高さのため、組付け作業者が文字板５１をたわませる作業を問題なく行うことができる。すなわち、Ａ部分を手で加減しながら、手の感覚で少しだけ文字板をたわませることで、組付け作業はそれほど困難なく行うことができる。
【発明の開示】
【発明が解決しようとする課題】
【０００５】
しかし、図１１に示すように、文字板とケース前面に段差があるメータ装置については、上述の固定方法が困難になる。図１１において、メータ装置は、ケース５２の前面から奥行き方向に載置部５２ｄを持つように形成された凹部５２Ａと、それぞれ、載置部５２ｄに設けられた、係合爪５２ａと、係合爪５２ａを介してほぼ対向する位置に形成された２個の位置決めピン５２ｂ，５２ｃとを有するケース５２を備えている。文字板５１は、表示意匠が施されると共に、中心に指針用穴５１ａが形成されかつ外周上のほぼ対向する位置に２個の組付け穴５１ｂ，５１ｃが形成されている。文字板５１は、ケース５２の凹部５２Ａの載置部５２ｄにおいて、指針用穴５１ａの内周がケース５２の係合爪５２ａに係合されると共に、２個の組付け穴５１ｂ，５１ｃが、それぞれケース５２の２個の位置決めピン５２ｂ，５２ｃに挿入されることにより、別部品なしでケースに組み付け、固定される。
【０００６】
このように、文字板５１とケース５２前面に段差がある場合には、文字板５１の組付け高さがケース５２の前面より低いため、図１１に示す文字板５１の外周付近（Ｂ部分）に手を入れることができない。したがって、図１０の場合と同じ方法で文字板５１をたわませる組付け工程では、文字板組付けが難作業となってしまう。
【０００７】
そこで本発明は、上述した従来の問題点に鑑み、文字板とケース前面に段差がある場合にも文字板の組付けを容易とすることができるメータ装置を提供することを目的としている。
【課題を解決するための手段】
【０００８】
請求項１記載の発明のメータ装置は、表示意匠が施されると共に、中心に指針用穴が形成されかつ外周のほぼ対向する位置に２個の組付け穴が形成された文字板と、前面に前記文字板を収容する凹部が形成され、該凹部を形成する内壁に前記文字板を載置する載置部が形成され、前記凹部の中心付近に前記指針用穴の内周に係合して固定する係合爪が形成されたケースと、前記載置部に形成され、各々が前記文字板の前記２個の組付け穴に挿入される２個の位置決めピンとを備え、前記載置部は、前記文字板が載置されたときスライド移動が可能に形成されており、前記係合爪は、前記文字板のスライド移動によって前記指針用穴の内周に係合する位置に設けられており、前記２個の組付け穴の一方は、前記係合爪と前記指針用穴の内周の係合後に前記位置決めピンの挿入が可能な位置に設けられていることを特徴とする。
【０００９】
請求項２記載の発明は、請求項１記載のメータ装置において、前記載置部は、前記文字板の内周と前記係合爪の係合前に前記文字板の外周の一部が前記内壁に接する位置になるように前記文字板を載置したとき、前記係合爪の先端と、前記文字板の前記指針用穴の縁との間に所定の隙を持つような寸法関係に設定されていることを特徴とする。
【発明の効果】
【００１０】
請求項１記載の発明によれば、別部品なしで文字板をケースに固定する際にケース前面と文字板の固定位置に段差がある場合にも、文字板の組付けを容易とすることができ、文字板組付け作業を時間をかけることなくメータの組み付けを行うことができる。
【００１１】
請求項２記載の発明によれば、文字板を載置する載置部と、係合される文字板の内周と、係合爪の先端との寸法関係が適宜設定されているので、載置部に載置された状態で文字板をスライド移動させて確実に係合爪で固定させることができる。
【発明を実施するための最良の形態】
【００１２】
以下、本発明の実施形態について図面を参照して説明する。
【００１３】
図１および図２は、それぞれ、本発明の実施の形態に係るメータ装置の正面図および分解斜視図である。ここでは、メータ装置は、複数のメータが組み合わせられた車載用コンビネーションメータの形態とした場合について説明する。
【００１４】
メータ装置１は、それぞれがほぼ円形状のアナログタイプのメータ形態とされた、タコメータ２と、スピードメータ３と、複合メータ４を含んで構成される。複合メータ４は、水温計部５、ターボメータ部６および燃料計部７をひとまとめにした構成とされている。また、スピードメータ３内の下部開口部には、ＬＣＤ（液晶ディスプレイ）８が配置されている。
【００１５】
タコメータ２、スピードメータ３および複合メータ４は、それぞれ、数字、文字、キャラクタ等の表示意匠や意匠パターンを施した文字板１２，１３，１４を有する。各文字板１２，１３，１４は、それぞれ、たとえば、ポリカーボネイトシート等からなる板状に形成され、暗色（好適には黒色）の表面に白抜きの表示意匠や意匠パターンが施されている。
【００１６】
メータ装置１の前面側を形成する見返し板９は、暗色（好適には黒色）の合成樹脂製であり、タコメータ２、スピードメータ３および複合メータ４に対応する形状に形成された表示窓９ａ，９ｂ，９ｃを有している。この見返し板９は、メータ装置１の側面および裏面側を構成する裏ケース１０と一体化されて、メータ装置１の前面および前面の外形を構成する。さらに、タコメータ２、スピードメータ３および複合メータ４の前方には、裏ケース10に組み付けられる表ケースと、表ケースに固定される表ガラスがあるが、ここでは図示されていない。表ケースは、暗色（好適には黒色）系の色調に整えられている。
【００１７】
裏ケース１０の前面には、それぞれ、タコメータ２、スピードメータ３および複合メータ４用の凹部１０ａ，１０ｂ，１０ｃが形成されている。凹部１０ａおよび１０ｃは、裏ケース１０の前面から奥行き方向の途中の内壁に載置部を持つように形成されている。文字板１２および１４は、それぞれ、この載置部に配置される。文字板１３は、凹部１０ｂを覆うように裏ケース１０の前面に配置される。
【００１８】
各文字板１２，１３，１４の前面には、タコメータ２と、スピードメータ３と、複合メータ４の水温計部５、ターボメータ部６および燃料計部７用の指針１５，１６，１７，１８，１９が、それぞれ配置されている。各文字板１２，１３，１４の背面側には、各指針１５，１６，１７，１８，１９をそれぞれ回転駆動するためのステッパモータ等からなるムーブメント（図示しない）が配置されている。さらに、各文字板１２，１３，１４の背面側には、各文字板１２，１３，１４および各指針１５，１６，１７，１８，１９に光を供給して照明するためのＬＥＤ等からなる光源（図示しない）が配置されている。
【００１９】
また、タコメータ２、スピードメータ３および複合メータ４は、それぞれ、文字板１２、１３および１４の表示意匠を周回するように、リング状部材２２，２３，２４を有している。各リング状部材２２、２３，２４は、それぞれ、見返し板９の表示窓９ａ，９ｂ，９ｃの内周にはめ込まれるリング部２２ａ，２３ａ，２４ａと、各リング部に連結されて一体形成され、表示窓９ａ，９ｂ，９ｃの内周裏側に接するフランジ部２２ｂ，２３ｂ，２４ｂを有する。
【００２０】
各リング状部材２２，２３，２４は、たとえば、明色（好適には銀色）のメッキ処理が施されている。したがって、明色の各リング状部材２２，２３，２４は、暗色系の色調に整えられている見返し板９と各文字板１２，１３，１４の境界を際だたせ、各メータの輪郭を形成している。
【００２１】
以上のような構成により、タコメータ２および複合メータ４は、文字板１２、１４が見返し板９の前面よりリング状部材２２、２４のリング部２２ａ、２４ａの高さ分だけ奥行き方向に引っ込んで視認されるとともに、スピードメータ３は、文字板１３が裏ケース１０の前面とほぼ同じ平面に視認されるので、立体感のあるメータ表示となっている。
【００２２】
このようなメータ装置１において、本発明はタコメータ２と複合メータ４で実施されており、ここでは一例として、タコメータ２における本発明による文字板の組付け構造の改善について以下詳細に説明するが、複合メータ４についてはその説明を省略する。
【００２３】
図３は、タコメータ２用の文字板１２を示す斜視図である。文字板１２は、表示意匠１２ａが施されると共に、中心に指針用穴１２ｂが形成されかつ外周上のほぼ対向する位置に２個の組付け穴１２ｃ，１２ｄが形成されている。組付け穴１２ｃは、位置決めピンの挿入時に文字板１２のスライドが可能な長穴状に形成されている。組付け穴１２ｄは、後述するように係合爪３４と指針用穴１２ｂの内周の係合後に位置決めピン３１ｂの挿入が可能な位置に設けられている。
【００２４】
図４は、タコメータ２用の裏ケース１０の凹部１０ａを示す斜視図である。凹部１０ａは、裏ケース１０の前面から奥行き方向の途中の内壁に、裏ケース１０の前面と平行な面を有する載置部３１を持つように形成されている。載置部３１には、２個の位置決めピン３１ａ，３１ｂが、ほぼ対向する位置に突出するように一体形成されている。また、凹部１０ａには、その中央底部から突出し、載置部３１と面一の平面を有する載置部３２も形成されている。載置部３２には、指針１５を回転駆動するムーブメントの駆動軸の貫通孔３３と、貫通孔３３の内周を形成する載置部３２部分から凹部１０ａの上方に向かって突出すると共にその先端がほぼ直角に折り曲げられた形状を持つように形成された係合爪３４が設けられている。係合爪３４は、その先端が文字板１２のスライド移動によって指針用穴１２ｂの内周に係合する位置に設けられている。
【００２５】
載置部３１および３２の上には、文字板１２が載置される。載置部３１は、文字板１２が載置されたとき、平面上をスライド移動が可能な大きさに形成されている。
【００２６】
次に、タコメータ２における文字板１２の組付け方法について、図５〜図８を参照しながら説明する。
【００２７】
まず、図５（Ａ）に示すように、文字板１２を凹部１０ａの上方から載置部３１および３２上に力を加えずに置き、文字板１２の外周の一部が、係合爪３４の先端３４ａと対向する内壁に接するようにする。このとき、文字板１２は、２個の位置決めピン３１ａ，３１ｂ上に乗ると共に、指針用穴１２ｂの中に係合爪３４の先端３４ａが位置する状態となっている。このとき、載置部３１は、図５（Ｂ）に示すように、指針穴１２ｂの中に位置する係合爪３４の先端３４ａ（Ｃ部分）と文字板１２の指針用穴１２ｂの内周の縁（Ｄ部分）との間に所定の隙（Ｅ）（たとえば、１ｍｍ以下程度）を持つような寸法関係に設定されている。
【００２８】
次に、図６（Ａ）に示すように、文字板１２をわずかにスライド移動させて、位置決めピン３１ａを長穴状の組付け穴１２ｃに挿入する。このとき、文字板１２は、図６（Ｂ）に示すように、長穴状の組付け穴１２ｃの内周の縁（Ｆ部分）が位置決めピン３１ａの外周部（Ｇ部分）にほぼ接するように移動させる。ただし、組付け穴１２ｃが文字板１２のスライド移動の際のガイドとならず、スライド移動後に位置決めピン３１ａを挿入する場合もある。
【００２９】
次に、図７に示すように、文字板１２の指針用穴１２ｂの内周の縁に係合爪３４の先端３４ａを係合させることができる高さ関係にするため、指針用穴１２ｂ付近で文字板１２を指で押さえる。
【００３０】
次に、図８に示すように、文字板１２の指針用穴１２ｂ内周の縁に係合爪３４の先端３４ａが係合するまで文字板１２を指でスライド移動させ、続いて、内周と係合爪３４の先端を係合させた状態で文字板１２の位置を指で調節しながら、他方の組付け穴１２ｄを位置決めピン３１ｂの位置に合わせ、位置決めピン３１ｂを挿入させることにより、文字板１２の組付けを完了する。
【００３１】
このようにして、別部品なしで文字板１２をケース１０に固定する場合で、しかも文字板１２とケース１０前面間に段差があるメータ装置１において、文字板１２の裏ケース１０への組付け固定作業を容易にすることで、文字板１２の組付け作業を時間をかけることなくメータの組み付けを行うことができる。また、文字板１２を載置する載置部３１と、係合される文字板１２の内周と、係合爪３４の先端３４ａとの寸法関係が適宜設定されているので、載置部３１に載置された状態で文字板１２をスライド移動させて確実に係合爪３４で固定させることができる。
【００３２】
以上の通り、本発明の最良の形態について説明したが、本発明はこれに限らず、種々の変形、応用が可能である。
【００３３】
たとえば、上述の最良の形態では、タコメータ２における文字板組付け作業の改善について説明しているが、複合メータ４においても同様の改善が行われる。
【図面の簡単な説明】
【００３４】
【図１】本発明の実施の形態に係るメータ装置の正面図である。
【図２】本発明の実施の形態に係るメータ装置の分解斜視図である。
【図３】本発明の実施の形態に係るメータ装置におけるタコメータ用の文字板を示す斜視図である。
【図４】本発明の実施の形態に係るメータ装置におけるタコメータ用のケースの凹部を示す斜視図である。
【図５】（Ａ）および（Ｂ）は、それぞれ、タコメータにおける文字板の組付け方法を説明する略断面図および部分拡大断面図である。
【図６】（Ａ）および（Ｂ）は、それぞれ、タコメータにおける文字板の組付け方法を説明する略断面図および部分拡大断面図である。
【図７】タコメータにおける文字板の組付け方法を説明する略断面図である。
【図８】タコメータにおける文字板の組付け方法を説明する略断面図である。
【図９】（Ａ）および（Ｂ）は、それぞれ、従来のメータ装置における文字板の組付け方法の一例を説明する組付前平面図および組付後平面図、（Ｃ）は部分拡大平面図、（Ｄ）は部分拡大斜視図である。
【図１０】（Ａ）は、従来のメータ装置における文字板の組付け方法の他の例を説明する略平面図、（Ｂ）はｄ−ｄ線断面図、および（Ｃ）は組付の途中過程の略断面図である。
【図１１】（Ａ）は、従来のメータ装置における文字板の組付け方法のさらに他の例を説明する略平面図、および（Ｂ）はｅ−ｅ線断面図である。
【符号の説明】
【００３５】
１  メータ装置
１０  裏ケース
１０ａ  凹部
３１  載置部
３１ａ  位置決めピン
３１ｂ  位置決めピン
３４  係合爪
１２  文字板
１２ａ  表示意匠
１２ｂ  指針用穴
１２ｃ  組付け穴
１２ｄ  組付け穴
【図１】
2006292648.tif 000003
【図２】
2006292648.tif 000004
【図３】
2006292648.tif 000005
【図４】
2006292648.tif 000006
【図５】
2006292648.tif 000007
【図６】
2006292648.tif 000008
【図７】
2006292648.tif 000009
【図８】
2006292648.tif 000010
【図９】
2006292648.tif 000011
【図１０】
2006292648.tif 000012
【図１１】
2006292648.tif 000013